(57)【要約】      （修正有）【課題】一対のリボン片を以て形成される造花の装飾対象物に対する物理的及び視覚的安定性を高め得る装飾用リボンを提供する。【解決手段】装飾用リボン１０は、互いに重ね合わされた一対のリボン片１２と、両リボン片間に配置されこれらの長手方向へ伸びる紐１４とを含む。両リボン片と紐とはこれらの一端部において互いに接合されている。両リボン片はこれらの一端部を含む造花形成部１６と、両リボン片の他端部を含む、造花形成部により形成される造花を装飾対象物に取り付けるための造花取付部１８とを備える。造花形成部１６はこれが紐に対して紐の長手方向に相対移動可能であるように両リボン片の長手方向に関して間隔をおかれた複数の線の各線Ｌ上の少なくとも二箇所２４において互いに接合されており、造花取付部１８は装飾対象物に巻き付け可能である。【選択図】図１
0003200524.tif 000002
【実用新案登録請求の範囲】
【請求項１】
互いに重ね合わされた、一端部及び他端部を有する一対のリボン片と、両リボン片の間に配置され両リボン片の長手方向へ伸びる紐とを含み、両リボン片と前記紐とがこれらの一端部において互いに接合されている装飾用リボンであって、
両リボン片はこれらの一端部を含む、造花を形成するための造花形成部と、該造花形成部に連なりかつ両リボン片の他端部を含む、前記造花を装飾対象物に取り付けるための造花取付部とからなり、
前記造花形成部において、両リボン片は前記紐に対して該紐の長手方向に相対移動可能であるように両リボン片の長手方向に関して間隔をおかれた複数の線の各線上の少なくとも二箇所において互いに接合され、
前記造花取付部において、両リボン片は前記装飾対象物に巻き付け可能である、装飾用リボン。
【請求項２】
さらに、両リボン片の他端部の少なくとも一方に取り付けられた両面粘着シート片を含む、請求項１に記載の装飾用リボン。
【請求項３】
さらに、前記造花と前記紐との間の相対移動を止めるための止め具を含む、請求項１又は２に記載の装飾用リボン。
【請求項４】
前記止め具は、前記紐が挿通可能であるスリットを有する板片からなる、請求項３に記載の装飾用リボン。
【考案の詳細な説明】
【技術分野】
【０００１】
本考案は、贈答品のような装飾対象物の装飾に用いられる装飾用リボンに関する。
【背景技術】
【０００２】
従来、装飾用リボンとして、互いに重ね合わされた一対のリボン片と、両リボン片の間に配置され該リボン片の長手方向へ伸びる複数の紐と、複数の紐の一部を互いに締め付ける締付部材とを含み、両リボン片と複数の紐とがこれらの一端部で互いに接合され、両リボン片が複数の紐に対する該紐の長手方向への相対移動が可能であるように両リボン片の長手方向に関して間隔をおかれた複数の線の各線上の少なくとも二箇所において互いに接合され、また、前記締付部材が複数の紐の他端部に配置され該紐の長手方向へ移動可能である造花形成用リボンが提案されている（後記特許文献１参照）。
【０００３】
前記従来の造花形成用リボンによれば、複数の紐に対して両リボン片をこれらの他端部がこれらの一端部に接近するように長手方向へ相対移動させるとき、両リボン片がこれらの接合箇所間でそれぞれ湾曲して複数のループに変化し、これらのループを花弁とする造花が形成される。形成された造花は、該造花から伸び出る複数の紐を装飾対象物に巻き付けた後、複数の紐を締付部材で締め付けることにより装飾対象物に取り付けられる。  
【０００４】
ところで、装飾対象物への前記造花の取り付けに使用される紐は、前記造花形成用リボンの構成上、前記造花を構成するリボン片より小さい幅寸法を有する。このため、装飾対象物に対する造花の物理的及び視覚的安定性が低いという問題がある。
【先行技術文献】
【特許文献】
【０００５】
【特許文献１】実用新案登録第３０２７０８９号公報
【考案の概要】
【考案が解決しようとする課題】
【０００６】
本考案の目的は、一対のリボン片を以て形成される造花の装飾対象物に対する物理的及び視覚的安定性を高め得る装飾用リボンを提供することにある。
【課題を解決するための手段】
【０００７】
本考案は、互いに重ね合わされた一端部及び他端部を有する一対のリボン片と、両リボン片の間に配置され両リボン片の長手方向へ伸びる紐とを含み、両リボン片と前記紐とがこれらの一端部において互いに接合されている装飾用リボンに係り、両リボン片はこれらの一端部を含む、造花を形成するための造花形成部と、該造花形成部に連なりかつ両リボン片の他端部を含む、前記造花を装飾対象物に取り付けるための造花取付部とからなり、前記造花形成部において、両リボン片は前記紐に対して該紐の長手方向に相対移動可能であるように両リボン片の長手方向に関して間隔をおかれた複数の線の各線上の少なくとも二箇所において互いに接合されており、また、前記造花取付部において、両リボン片は装飾対象物に巻き付け可能である。
【０００８】
本考案にあっては、両リボン片をこれらの他端部がこれらの一端部に接近するように長手方向へ相対移動させるとき、前記造花形成部に属する両リボン片の一部がそれぞれ湾曲して複数のループに変化し、該ループを花弁とする造花が形成される。形成された造花は、例えば前記造花から伸び出る前記紐に結びこぶを作ることにより、前記造花の前記紐に対する相対移動が生じないようにすることができ、また、前記造花取付部を構成する両リボン片の残りの一部を前記装飾対象物に巻き付けて取り付けることができる。本考案によれば、前記造花はこれを構成する両リボン片の一部と幅寸法を同じくする両リボン片の残りの一部を以って前記装飾対象物に取り付けられることから、前記従来の装飾用リボンと比べて、前記造花の物理的及び視覚的安定性をより高めることができる。
【０００９】
前記装飾用リボンは、さらに、両リボン片の他端部の少なくとも一方に取り付けられた両面粘着シート片を含むものとすることができる。これによれば、前記装飾対象物に巻き付けられた前記造花取付部をこれらの端部（両リボン片の他端部）の一方と他の一方とにおいて前記両面粘着シート片を介して互いに連結することができる。あるいは、また、両リボン片の他端部の双方を、これらにそれぞれ取り付けられた２つの両面粘着シート片を介して、前記装飾対象物に固定することができる。
【００１０】
前記装飾用リボンは、さらに、形成後の造花と該造花から伸び出る前記紐との間の相対移動を止めるための止め具を含むものとすることができる。前記止め具は、例えば、前記紐が挿通されたスリットを有する板片からなる。
【図面の簡単な説明】
【００１１】
【図１】装飾用リボンの平面図を示すものであり、当該平面図において、前記装飾用リボンはこれを構成する両リボン片の一方がその他端部においてめくられた状態にある。
【図２】造花形成後における装飾用リボンの部分背面図である。
【図３】造花形成用リボンにより形成された造花と、該造花が取り付けられた装飾対象物とを示す斜視図である。
【考案を実施するための形態】
【００１２】
図１を参照すると、本考案に係る装飾用リボンが全体に符号１０で示されている。
【００１３】
装飾用リボン１０は、互いに重ね合わされた一対のリボン片１２と、両リボン片１２の間に配置され両リボン片１２の長手方向へ伸びる１つの紐１４とを備える。
【００１４】
両リボン片１２は一端部１２ａ及び他端部１２ｂを有し、両リボン片１２は、一端部１２ａを含む造花形成部１６と、他端部１２ｂを含む造花取付部１８とからなる。造花形成部１６と造花取付部１８とは両リボン片１２の長手方向に互いに連なり、また、互いに隣接している。
【００１５】
両リボン片１２の一部からなる造花形成部１６により造花２０（図２及び図３）が形成され、また、両リボン片１２の残りの一部からなる両造花取付部１８により、形成された造花２０が贈答品のような装飾対象物Ａ（図３）に取り付けられる。造花形成部１８を構成する両リボン片１２の前記残りの一部は、装飾対象物Ａに巻き付け可能であり、当該巻き付けに必要な予め定められた長さ寸法を有する。
【００１６】
他方、両リボン片１２間の紐１４は、両リボン片１２の一端部１２ａに接合された一端部１４ａと、両リボン片１２間をこれらの一端部１２ａから造花形成部１６を経て造花取付部１８に至る他端部１４ｂとを有する。紐１４の他端部１４ｂの先端は、造花形成部１６と両リボン片１２の他端部１２ｂとの間の任意の位置で終わる。符号２２は両リボン片１２の一端部１２ａと紐１４の一端部１４ａとの接合箇所を示す。
【００１７】
造花形成部１６を構成する両リボン片１２の前記一部は、両リボン片１２が紐１４に対して該紐の長手方向への相対移動が可能であるように、両リボン片１２の長手方向に関して間隔をおかれた複数（図示の例では３つ）の線Ｌの各線上の少なくとも二箇所２４において互いに接合されている。
【００１８】
これによれば、紐１４に対して両リボン片１２の他端部１２ｂをこれらの一端部１２ａに向けて相対移動をさせることができ、これにより、造花形成部１６において３つの線Ｌで区切られた３対のリボン片部分２６、２８、３０が、次第に、互いに反対側に膨らみ、最終的にループ状の形態に変化する。その結果、ループ状を呈する３対のリボン片部分２６、２８、３０をそれぞれ３対の花弁とする造花２０が形成される。このとき、造花取付部１８を構成する両リボン片１２の前記残りの一部が造花２０から伸び、また、紐１４が造花２０から伸び出る。造花２０から伸び出る紐１４は、図３に示すように、その一部を切断して短くすることができる。
【００１９】
複数の線Ｌはそれぞれ造花形成部１６を構成する両リボン片１２の一部を斜めに横切り、複数の線Ｌの傾斜方向は交互に変化している。各線Ｌが両リボン片１２の前記一部を横切る角度は任意に定めることができる。造花形成部１６における両リボン片１２の前記一部を横切る線Ｌの角度の大きさに応じて、造花２０を構成する各対の花弁（２６、２８、３０）相互の開き角度と、紐１４の周りの各対の花弁（２６、２８、３０）相互の相対位置とを変更することができる。また、線Ｌ相互の間隔の大きさは任意に定めることができる。線Ｌ相互の間隔の大きさに応じて各対の花弁（２６、２８、３０）の大きさが変わる。さらに、線Ｌの数量も任意に定めることができ、線Ｌの数に応じて、前記花弁の対の数が変わる。
【００２０】
造花２０の形成後、造花２０の３対の花弁をそれぞれ構成する３対のリボン片部分２６、２８、３０の弾性復帰によって造花２０（又は造花２０を構成する造花形成部１６）と紐１４との間に相対移動が生じることを阻止し、これにより造花２０の形態を維持する。
【００２１】
図３に示すように、装飾用リボン１０は、好ましくは、形成後の造花２０と紐１４との間に相対移動が生じ、このために造花２０の形態が崩れることを防止するための止め具３２を備える。図示の止め具３２は、スリット３４を有する板片３６からなり、紐１４が板片３６のスリット３４に通されている。板片３６は該板片と紐１４との間に働く摩擦力に抗して紐１４に沿って移動させ、また、前記摩擦力を以て、紐１４上の長手方向における任意の位置に留め置くことができる。したがって、紐１４に通されかつ造花２０に近接する位置に留め置かれた板片３６を以て、造花２０の紐１４に対する相対移動を阻止することができる。
【００２２】
但し、紐１４に結びこぶ（図示せず）を形成し、前記結びこぶを以て、したがって留め具３２を用いることなしに、造花２０と紐１４との間の相対移動を止めることが可能である。
【００２３】
造花取付部１８は造花形成部１６と共に両リボン片１２で構成され、したがって造花取付部１８は造花形成部１６（したがって造花２０の花弁（２６、２８、３０））と同じ幅寸法を有する。これによれば、装飾対象物Ａに取り付けられた造花２０について、前記した従来のものと比べて、より物理的安定性及び視覚的安定性に富むものとすることができる。
【００２４】
装飾用リボン１０は、好ましくは、両リボン片１２の他端部１２ｂの少なくとも一方に取り付けられた両面粘着シート片３８を含む。これによれば、装飾対象物Ａに巻き付けられた造花取付部１８における両リボン片１２の他端部１２ｂの一方及び他の一方を互いに重ね合わせ、これらを両面シート片３８を介して相互に接合することができ、これにより、造花２０を装飾対象物Ａ上に動かないように取り付けることができる。両リボン片１２の他端部１２ｂの双方にそれぞれ２つの両面粘着シート片３８を取り付けるときは、２つの両面粘着シート片３８を介して、両他端部１２ｂを装飾対象物Ａの表面に固定することができ、これにより、造花２０を装飾対象物Ａに固定した状態で取り付けることができる。
【００２５】
リボン片１２および紐１４は、それぞれ、ナイロン繊維、ポリエステル繊維等の合成繊維製の織布からなり、リボン片１２同士の接合及びリボン片１２と紐１４との相互接合は、溶接、ヒートシール等により行うことができる。
【００２６】
リボン片１２および紐１４は、前記合成繊維製の織布の他、合成繊維製の不織布、ポリプロピレンやビニルのような合成樹脂製のテープ、紙製のテープ、天然繊維製の織布、天然繊維製の不織布等からなるものとすることができる。両リボン片１２の一端部１２ａと紐１４の一端部１４ａとの相互接合、及び、両リボン片１２の相互接合は、前記溶接、ヒートシールに代えて、例えば接着剤による接着、糸による縫い合わせ、鳩目、ホッチキスによる綴じ合わせ等により行なうことができる。
【符号の説明】
【００２７】
１０  装飾用リボン
１２  リボン片
１４  紐
２０  造花
２６、２８、３０  リボン片部分（花弁）
３２  留め具
３８  両面粘着シート片
【図１】
0003200524.tif 000003
【図２】
0003200524.tif 000004
【図３】
0003200524.tif 000005